(57)【特許請求の範囲】
【請求項１】
管本体の外周面に取付けられ演奏時に右手親指が引っ掛けられる指掛けを管本体の外周面に台座を介して取付けたサクソフォンの指掛け取付構造において、
前記指掛けと台座のいずれか一方に複数個の突子を設け、これらの突子を他方に点接触させることにより、前記指掛けと前記台座との間に隙間を形成したことを特徴とするサクソフォンの指掛け取付構造。
【請求項２】
請求項１記載のサクソフォンの指掛け取付構造において、
突子が円錐状の突起であることを特徴とするサクソフォンの指掛け取付構造。
【発明の詳細な説明】
【０００１】
【発明の属する技術分野】
本発明は、サクソフォンの指掛け取付構造に関するものである。
【０００２】
【従来の技術】
従来、この種のサクソフォンにおいては、演奏時に右手の親指が引っ掛けられる指掛けを管本体の外周面に設けた台座の取付面に面接触させて止めねじにより固定していた。指掛けとしては、合成樹脂、金属等によって親指が引っ掛かる形状、具体的には側面視形状が逆Ｊ字状になるように製作されることにより、上端部に表面側に円弧状に折り曲げられた湾曲部を一体に有している。台座は一般に金属によって製作され、管本体にろう付け等によって固着される。
【０００３】
【発明が解決しようとする課題】
上記した通り従来の指掛け指掛け取付構造は、台座の取付面に直接面接触させた上で固定していた。
そこで、本発明者は指掛けを面接触させた場合と面接触させない場合について比較検討した結果、台座に面接触させて固定した取付構造においては、面接触させない場合に比べて指掛けおよび指掛けに引っ掛けている親指が管本体の振動に対して大きな抵抗となるため、楽器全体の響きを抑え高い音域から低い音域まで全体的に豊かな響きを得ることができないということを見出した。
【０００４】
本発明は上記した従来の問題点および検討結果に基づいてなされたもので、その目的とするところは、高い音域から低い音域まで全体的に豊かな響きが得られ、また音色の変化も付け易く、幅広い演奏表現を可能にしたサクソフォンの指掛け取付構造を提供することにある。
【０００５】
【課題を解決するための手段】
上記目的を達成するために本発明は、管本体の外周面に取付けられ演奏時に右手親指が引っ掛けられる指掛けを管本体の外周面に台座を介して取付けたサクソフォンの指掛け取付構造において、前記指掛けと台座のいずれか一方に複数個の突子を設け、これらの突子を他方に点接触させることにより、前記指掛けと前記台座との間に隙間を形成したことを特徴とする。
【０００６】
本発明においては、指掛けと台座のいずれか一方に複数個の突子を設け、これらの突子を他方に点接触させることにより、前記指掛けと前記台座との間に隙間を形成したので、面接触させた場合に比べて指掛けおよび指掛けに引っ掛けている親指の管本体の振動に対する抵抗を小さくする。その結果として、楽器全体の響きがよくなり、高い音域から低い音域まで全体的に豊かな響きを得ることができる。また、音色の変化も付け易くなる。
【０００７】
【発明の実施の形態】
以下、本発明を図面に示す実施の形態に基づいて詳細に説明する。
図１は本発明に係るサクソフォンの概略構成を示す図、図２は指掛けの取付構造を示す分解斜視図である。これらの図において、サクソフォン１は、管本体２と、この管本体２の基端部に接続された吹込管３と、この吹込管３に取付けられたマウスピース４と、管本体２の外周面に設けられた各音孔５を開閉制御する図示しない鍵機構と、同じく管本体２の外周面に取付けられた拇指台６および指掛け７等で概ね構成されている。管本体２は、黄銅、洋白等によってＪ字状に屈曲した形状に形成され、先端部が朝顔２Ａを形成している。拇指台６は、第１９音孔５19付近に位置するように管本体２の背面側に設けられ、指掛け７は、第１７音孔５17付近に位置するように管本体２の背面側に設けられている。このようなサクソフォン１を演奏するには、管本体２を両手で把持して演奏するが、その際左手の親指で拇指台６を押圧し、右手の親指を指掛け７に引っ掛けて演奏する。
【０００８】
前記指掛け７は、図２に示すように厚さ３ｍｍ、幅２０ｍｍ、長さ７０〜８０ｍｍ程度の金属板を側面視形状が逆Ｊ字状になるように折り曲げて形成されることにより、上端部が表面側に湾曲した湾曲部７Ａを構成し、下端部が平板部７Ｂを構成している。この平板部７Ｂは、正面視形状が砲頭型とされることにより下端部が緩やかな曲線でもってＶ字状に形成されている。また、平板部７Ｂの下部寄りには、指掛け７の幅方向に長いねじ取付孔１０が形成され、さらに裏面側には、ねじ取付孔１０を挟んでその上下に２つずつ、合計４つの突子１１と、凹部１２が形成されている。突子１１は、全て同一高さの円錐状に形成されている。凹部１２は、平板部７Ｂの下端部に形成されている。なお、指掛け７の材質としては、管本体２の材質によっても異なるが、銀、純銅、銅合金（例：黄銅）、ステンレス等が用いられる。また、指掛け７は、金メッキ等のメッキ処理またはラッカー塗装が施される。
【０００９】
このような指掛け７は、管本体２の外周面に取付けた台座１３に回転を防止されて止めねじ１４により固定される。このため、台座１３の表面中央部には、前記ねじ取付孔１０および凹部１２にそれぞれ係入する円筒部１５と突起１６が一体に突設されている。また、円筒部１５の内周面には、前記止めねじ１４が螺合する雌ねじ１７が形成されている。突起１６は、凹部１２に係入することにより指掛け７の回転を防止する。さらに、指掛け７を台座１３に固定した状態において、指掛け７と台座１３との間には突子１１によって隙間が形成され、これにより指掛け７の平板部７Ｂが台座１３に対して面接触しないようにしている。
【００１０】
このように台座１３に突子１１を点接触させて指掛け７と台座１３との間に隙間を設けると、従来の面接触させた取付構造に比べて指掛けおよび指掛けに引っ掛けている親指の管本体２の振動に対する抵抗を小さくすることができる。その結果として、楽器全体の響きがよくなり、高い音域から低い音域まで全体的に豊かな響きを得ることができる。また、響きが豊かであれば音色の変化も付け易くなる。
【００１１】
なお、上記した実施の形態においては、突子１１を４つ設けた例を示したが、その数は何等特定されるものではなく、３つ以上であればがたつくことなく安定に取付けることができる。その場合、突子１１自体は２つとし、回転防止用の突起１６を３つ目の突子として用いることも可能である。
また、上記した実施の形態においては、指掛け７を金属で形成した例を示した、これに限らず合成樹脂製のものであってもよい。
さらに、突子１１を指掛け７が側に設けたが、台座１３側に設けてもよい。
【００１２】
【発明の効果】
以上説明したように本発明は、管本体の外周面に取付けられ演奏時に右手親指が引っ掛けられる指掛けを管本体の外周面に台座を介して取付けたサクソフォンの指掛け取付構造において、前記指掛けと台座のいずれか一方に複数個の突子を設け、これらの突子を他方に点接触させることにより、前記指掛けと前記台座との間に隙間を形成したので、管本体の振動が良好で、高音域から低音域まで全体的に豊かな響きが得られ、楽器としての性能を向上させることができる。また、音色の変化も付け易く、幅広い演奏表現が可能になる。
また、本発明は、突子を円錐状の突起としたので、指掛けと台座を点接触させることができる。
【図面の簡単な説明】
【図１】  本発明に係るサクソフォンの概略構成を示す図である。
【図２】  指掛けの取付構造を示す分解斜視図である。
【符号の説明】
１…サクソフォン、２…管本体、３…吹込管、４…マウスピース、５…音孔６…拇指台、７…指掛け、１１…突子、１２…凹部、１３…台座、１４…止めねじ、１６…回転防止用の突起。
【図１】
0003714494.tif 000002
【図２】
0003714494.tif 000003